(57)【要約】【課題】自分の姿が写った画像データを取得すること。【解決手段】利用者２ａに携帯されている携帯装置１１０ａが、自装置から所定の距離内に存在する携帯装置１１０ｂを検出する検出工程と、携帯装置１１０ａが、携帯装置１１０ｂに撮影の実行を要求する撮影要求工程と、携帯装置１１０ｂが、携帯装置１１０ａが撮影範囲内に存在することを確認する工程と、携帯装置１１０ｂが、携帯装置１１０ａの要求に応じて撮影を実行する撮影実行工程と、携帯装置１１０ｂが、撮影した画像データを、携帯装置１１０ａからの要求にて指定された情報に従って送信する画像送信工程とを含む各工程を実行する。【選択図】図１−２
2011114579.tif 000002
【特許請求の範囲】
【請求項１】
利用者に携帯されている撮影要求装置が、自装置から所定の距離内に存在する撮影装置を検出する検出工程と、
前記撮影要求装置が、前記検出工程において検出された撮影装置に撮影の実行を要求する撮影要求工程と、
前記撮影装置が、前記撮影要求装置の外観上の特徴に基づいて、前記撮影要求装置が前記撮影装置の撮影範囲内に存在するか否かを判定する判定工程と、
前記判定工程において前記撮影要求装置が前記撮影装置の撮影範囲内に存在すると判定された場合に、前記撮影装置が、前記撮影要求工程における要求に応じて撮影を実行する撮影実行工程と、
前記撮影装置が、前記撮影実行工程において撮影した画像データを、前記撮影要求工程における要求にて指定された情報に従って送信する画像送信工程と
を含むことを特徴とする画像収集方法。
【請求項２】
前記検出工程において、前記撮影要求装置は、自装置から所定の距離内の範囲のうち、前記利用者よりも前方の範囲に存在する撮影装置を検出することを特徴とする請求項１に記載の画像収集方法。
【請求項３】
前記判定工程において、前記撮影装置は、前記撮影要求装置から通知された前記撮影装置の外観上の特徴に基づいて、前記撮影要求装置が前記撮影装置の撮影範囲内に存在するか否かを判定することを特徴とする請求項１または２に記載の画像収集方法。
【請求項４】
前記判定工程において、前記撮影装置は、焦点距離を変更して撮影した複数の画像の中に前記撮影要求装置の外観上の特徴を含む画像があった場合に、前記撮影要求装置が前記撮影装置の撮影範囲内に存在すると判定し、
前記撮影実行工程において、前記撮影装置は、前記撮影要求装置の外観上の特徴を含む画像が撮影されたときと同じ焦点距離で撮影を実行することを特徴とする請求項１〜３のいずれか１つに記載の画像収集方法。
【請求項５】
他の装置から撮影の実行の要求を受信する撮影要求受信手段と、
前記要求の要求元の装置が撮影範囲内に存在するか否かを該装置の外観上の特徴に基づいて判定する要求元検出手段と、
前記要求元検出手段によって前記要求の要求元の装置が撮影範囲内に存在すると判定された場合に、前記要求に応じて撮影を実行する撮影実行手段と、
前記撮影実行手段によって撮影された画像データを、前記要求にて指定された情報に従って送信する画像送信手段と
を備えることを特徴とする携帯装置。
【請求項６】
前記要求元検出手段は、前記要求の要求元の装置から通知された該装置の外観上の特徴に基づいて、前記要求の要求元の装置が撮影範囲内に存在するか否かを判定することを特徴とする請求項５に記載の携帯装置。
【請求項７】
前記要求元検出手段は、焦点距離を変更して撮影した複数の画像の中に前記外観上の特徴を含む画像があった場合に、前記要求の要求元の装置が撮影範囲内に存在すると判定し、
前記撮影実行手段は、前記外観上の特徴を含む画像が撮影されたときと同じ焦点距離で撮影を実行することを特徴とする請求項５または６に記載の携帯装置。
【請求項８】
自装置から所定の距離内に存在する他の携帯装置を検出する検出手段と、
前記検出手段によって検出された他の携帯装置に対して、撮影した画像データの送信先を指定して撮影の実行を要求する撮影要求送信手段と
をさらに備えたことを特徴とする請求項５〜７のいずれか１つに記載の携帯装置。
【発明の詳細な説明】
【技術分野】
【０００１】
本発明は、画像収集方法および携帯装置に関する。
【背景技術】
【０００２】
近年、デジタルカメラやカメラ付き携帯電話等の普及により、誰でも自分の日々の生活の様々な出来事を画像データとして容易に記録することが可能になっている。また、そのような日常生活を記録した画像データ等を個人の活動記録として集積し、個人の過去の活動を追跡できるようにするライフログと呼ばれるサービスも利用されている（例えば、非特許文献１および非特許文献２）。
【先行技術文献】
【非特許文献】
【０００３】
【非特許文献１】“Ｌｉｆｅ−Ｘについて”、［online］、ソニーマーケティング株式会社、［２００９年１０月１５日検索］、インターネット＜URL：http://life-x.jp/about/＞
【非特許文献２】“オンラインアルバムＺｏｒｇ”、［online］、株式会社ゾーグ、［２００９年９月１５日検索］、インターネット＜URL：http://www.zorg.com/＞
【発明の概要】
【発明が解決しようとする課題】
【０００４】
自分の日々の生活の様々な出来事を画像データとして記録する場合、自身の姿も画像に写っていることが好ましいが、従来技術では、個人が自身の姿が写った画像データを取得することは困難であった。デジタルカメラ等を自分に向けて自身の姿を撮影することは可能であるものの、撮影できるアングルが限定され、周囲の状況を背景として写し込み難い。また、同行者に撮影してもらうことは可能であるものの、日常生活では同行者を伴わずに行動することも多い。
【０００５】
本発明は、上記に鑑みてなされたものであって、自分の姿が写った画像データを取得することができる画像収集方法および携帯装置を提供することを目的とする。
【課題を解決するための手段】
【０００６】
上述した課題を解決し、目的を達成するために、本発明に係る画像収集方法は、１つの態様において、利用者に携帯されている撮影要求装置が、自装置から所定の距離内に存在する撮影装置を検出する検出工程と、前記撮影要求装置が、前記検出工程において検出された撮影装置に撮影の実行を要求する撮影要求工程と、前記撮影装置が、前記撮影要求装置の外観上の特徴に基づいて、前記撮影要求装置が前記撮影装置の撮影範囲内に存在するか否かを判定する判定工程と、前記判定工程において前記撮影要求装置が前記撮影装置の撮影範囲内に存在すると判定された場合に、前記撮影装置が、前記撮影要求工程における要求に応じて撮影を実行する撮影実行工程と、前記撮影装置が、前記撮影実行工程において撮影した画像データを、前記撮影要求工程における要求にて指定された情報に従って送信する画像送信工程とを含むことを特徴とする。
【０００７】
また、本発明に係る携帯装置は、１つの態様において、他の装置から撮影の実行の要求を受信する撮影要求受信手段と、前記要求の要求元の装置が撮影範囲内に存在するか否かを該装置の外観上の特徴に基づいて判定する要求元検出手段と、前記要求元検出手段によって前記要求の要求元の装置が撮影範囲内に存在すると判定された場合に、前記要求に応じて撮影を実行する撮影実行手段と、前記撮影実行手段によって撮影された画像データを、前記要求にて指定された情報に従って送信する画像送信手段とを備えることを特徴とする。
【発明の効果】
【０００８】
本発明に係る画像収集方法および携帯装置は、自分の姿が写った画像データを取得することができるという効果を奏する。
【図面の簡単な説明】
【０００９】
【図１−１】図１−１は、実施例１に係る画像収集システムを示す図である。
【図１−２】図１−２は、実施例１に係る画像収集システムの変形例を示す図である。
【図２】図２は、実施例１に係る携帯装置の構成を示すブロック図である。
【図３】図３は、実施例１に係る画像管理装置の構成を示すブロック図である。
【図４】図４は、実施例１に係る携帯装置の動作を示すフローチャートである。
【図５】図５は、実施例１に係る画像管理装置の動作を示すフローチャートである。
【図６】図６は、撮影要求装置の構成を示すブロック図である。
【図７】図７は、撮影装置の構成を示すブロック図である。
【図８】図８は、実施例２に係る画像収集システムを示す図である。
【図９】図９は、実施例２に係る携帯装置の構成を示すブロック図である。
【図１０】図１０は、認証結果の記録の一例を示す図である。
【図１１】図１１は、実施例２に係るサービス提供装置の構成を示すブロック図である。
【図１２】図１２は、実施例２に係る携帯装置の動作を示すフローチャートである。
【図１３】図１３は、認証要求処理の処理手順を示すフローチャートである。
【図１４】図１４は、要求元認証処理の処理手順を示すフローチャートである。
【図１５】図１５は、撮影要求送信処理の処理手順を示すフローチャートである。
【図１６】図１６は、撮影処理の処理手順を示すフローチャートである。
【図１７】図１７は、実施例２に係るサービス提供装置の動作を示すフローチャートである。
【発明を実施するための形態】
【００１０】
以下に、本発明に係る画像収集方法および携帯装置の実施例を図面に基づいて詳細に説明する。なお、この実施例によりこの発明が限定されるものではない。また、以下の実施例では、既に説明した部分と同様の部分には同一の符号を付して、重複する説明を省略する。
【実施例１】
【００１１】
まず、本実施例に係る画像収集システムおよび画像収集方法について図１−１を参照しながら説明する。図１−１に示すように、本実施例に係る画像収集システムは、携帯装置１１０ａおよび１１０ｂと、画像管理装置１２０ａおよび１２０ｂとを含む。
【００１２】
携帯装置１１０ａは、利用者２ａの頭部や肩等に装着されるウェアブルなデバイスであり、利用者２ａの視点で撮影を実行して画像データを生成し、生成した画像データを画像管理装置１２０ａに保存させる機能を有する。携帯装置１１０ｂは、利用者２ｂの頭部や肩等に装着されるウェアブルなデバイスであり、利用者２ｂの視点で撮影を実行して画像データを生成し、生成した画像データを画像管理装置１２０ｂに保存させる機能を有する。
【００１３】
携帯装置１１０ａおよび１１０ｂは、それぞれ、画像データを画像管理装置１２０ａおよび１２０ｂに保存させるために、画像データを含む画像データ保存要求を無線通信で無線基地局２０へ送信する。無線基地局２０は、受信した画像データ保存要求をその要求が示す送信先へネットワーク１０を通じて転送する。
【００１４】
画像管理装置１２０ａは、利用者２ａの画像データの保管や公開を行うサーバ装置であり、画像管理装置１２０ｂは、利用者２ｂの画像データの保管や公開を行うサーバ装置である。画像管理装置１２０ａおよび１２０ｂは、例えば、ライフログサービスを提供する装置に相当する。
【００１５】
このような構成の画像収集システムにおいて、本実施例に係る画像収集方法は以下のように実行される。携帯装置１１０ａは、所定の範囲１ａ内に他の携帯装置１１０が存在するか否かを定期的に確認する。ここで、所定の範囲１ａは、携帯装置１１０ａを携帯している利用者２ａの姿を他の携帯装置１１０が撮影できる範囲であり、例えば、半径約１０メートルの範囲である。
【００１６】
そして、携帯装置１１０ａは、所定の範囲１ａ内に携帯装置１１０ｂが存在することを検出すると、携帯装置１１０ｂに対して撮影要求を送信する（ステップＳ１１）。携帯装置１１０ａが送信する撮影要求には、自装置の利用者を識別するためのＩＤ等の認証情報（この場面では、利用者２ａの認証情報）や画像データの転送先を示す情報（この場面では、画像管理装置１２０ａのネットワークアドレス等）が含まれる。
【００１７】
携帯装置１１０ｂは、撮影要求を受信すると、要求元検出用の撮影を行い、撮影によって得られた画像データを解析して携帯装置１１０ａが自装置の撮影範囲に入っているかを判定する（ステップＳ１２）。携帯装置１１０ａおよび１１０ｂは、ある特定の形状や色彩等の外観上の特徴を有しており、携帯装置１１０ｂは、その外観上の特徴を有する物品が画像データに含まれる場合に、携帯装置１１０ａが自装置の撮影範囲に入っていると判定する。
【００１８】
携帯装置１１０ｂは、携帯装置１１０ａが自装置の撮影範囲に入っていると判定すると、通常の撮影を実行して画像データを生成し、生成した画像データを含む画像データ保存要求を画像管理装置１２０ｂへ向けて送信する（ステップＳ１３）。この場面で携帯装置１１０ｂが送信する画像データ保存要求には、携帯装置１１０ｂの利用者を識別するためのＩＤ等の認証情報が送信元の認証情報として含められるとともに、撮影要求に含まれていた認証情報と転送先を示す情報が対応付けて含められる。画像データ保存要求は、無線基地局２０とネットワーク１０を介して画像管理装置１２０ｂへ到達する。
【００１９】
画像管理装置１２０ｂは、携帯装置１１０ｂからの画像データ保存要求を受信すると、画像データ保存要求に転送先を示す情報が含まれているか否かを確認する。この場面では、画像データ保存要求に転送先を示す情報として画像管理装置１２０ａの情報が含まれているので、画像管理装置１２０ｂは、送信元である携帯装置１１０ｂの利用者の認証情報が正しいことを確認してその認証情報に含まれるＩＤに対応する領域に画像データを保存する通常の動作を行った後、画像データ保存要求を画像管理装置１２０ａへ送信する。送信される画像データ保存要求には、転送先を示す情報と対応付けて格納されていた認証情報が送信元の認証情報として含まれるとともに、画像データのコピーが含まれる。
【００２０】
画像管理装置１２０ａは、画像データ保存要求を受信すると、画像データ保存要求に転送先を示す情報が含まれているか否かを確認する。この場面では、転送先を示す情報が含まれないので、画像管理装置１２０ａは、画像データ保存要求に含まれる認証情報が正しいことを確認した後、その認証情報に含まれるＩＤに対応する領域に画像データを保存する（ステップＳ１４）。
【００２１】
このように、本実施例に係る画像収集方法では、利用者２ａが携帯する携帯装置１１０ａが所定の範囲１ａ内に携帯装置１１０ｂが存在することを検出して携帯装置１１０ｂに撮影の実行を要求する仕組みと、携帯装置１１０ｂが自装置の撮影範囲に携帯装置１１０ａが入っているのを確認した後に撮影を実行し、画像データを要求に従って送信する仕組みとを組み合わせて利用することとしたので、利用者２ａは、自身の姿が写った画像データを取得することができる。
【００２２】
なお、上記の説明では、携帯装置１１０ｂが撮影した画像データを利用者２ａが取得する場合について説明したが、同様の手順により、携帯装置１１０ａが撮影した画像データを利用者２ｂが取得することができる。また、図１に示した携帯装置１１０と画像管理装置１２０の台数は一例であり、これらの装置の台数は任意である。
【００２３】
また、上記の説明における要求元検出用の撮影では、携帯装置１１０ｂが焦点距離を変更して複数回の撮影を行うこととしてもよい。この場合、携帯装置１１０ｂの撮影範囲内に要求元が存在すれば、いずれかの画像データに要求元が鮮明に写っている可能性が高くなるので、要求元の検出精度が向上する。また、要求元が鮮明に写っていた焦点距離で通常の撮影を実行することにより、利用者２ａは、自身の姿が鮮明に写った画像データを取得することができる。
【００２４】
また、上記の説明では、携帯装置１１０ｂが要求元検出用の撮影と通常の撮影という２回の撮影を行っているが、これは要求元検出用の撮影では要求元の検出精度を向上させるために通常の撮影とは撮影条件を変更することを想定しているためである。このため、撮影条件を変更しなくても十分な精度で要求元を検出できる場合は、要求元検出用の撮影を実行せずに、通常の撮影で得られた画像データ内に要求元が写っているかを判定し、要求元が写っていれば、その画像データを要求に従って画像管理装置１２０へ送信する構成としてもよい。
【００２５】
また、図１−１に示した例は、どの方向から撮影されたかに関係なく自身の姿が写った画像データを取得する例であるが、自分の正面方向から撮影された画像データのみを取得したい場合は、図１−２の例に示すように、携帯装置１１０ａが、前方の所定の範囲１ｂ内に他の携帯装置１１０が存在するか否かを定期的に確認するようにしてもよい。
【００２６】
前方の所定の範囲１ｂ内に他の携帯装置１１０が存在するか否かを定期的に確認するには、例えば、携帯装置１１０ａが短波のように指向性の強い電波等を用いて他の携帯装置１１０を検出することとしてもよいし、携帯装置１１０ａが撮影した画像データ内の所定の範囲１ｂに相当する領域に他の携帯装置１１０が写っているか否かを判定することとしてもよい。
【００２７】
次に、図１に示した携帯装置１１０ａおよび１１０ｂと画像管理装置１２０ａおよび１２０ｂのより詳細な構成について説明する。なお、携帯装置１１０ａおよび１１０ｂの構成は同様であるので、携帯装置１１０ａを例にして構成を説明する。また、画像管理装置１２０ａおよび１２０ｂの構成は同様であるので、画像管理装置１２０ａを例にして構成を説明する。
【００２８】
図２は、携帯装置１１０ａの構成を示すブロック図である。図２に示すように、携帯装置１１０ａは、撮影部１１１と、通信部１１２と、通信部１１３と、記憶部１１４と、制御部１１５とを有する。撮影部１１１は、撮像センサによって得られる信号をデジタル処理して画像データを生成する。
【００２９】
通信部１１２は、比較的短距離の通信を行うための通信部であり、他の携帯装置１１０を検出したり、他の携帯装置１１０との間で要求や応答をやりとりしたりするために使用される。通信部１１２は、例えば、光や音波や微弱な電波を用いて対向の装置と通信を行う。通信部１１３は、比較的長距離の通信を行うための通信部であり、無線基地局２０を介して画像管理装置１２０との間で要求や応答をやりとりしたりするために使用される。
【００３０】
記憶部１１４は、例えば、半導体記憶装置であり、自装置を所有する利用者のＩＤや自装置を所有する利用者に対応する画像管理装置１２０のネットワークアドレスのように制御部１１５の動作に必要な各種設定情報や、撮影部１１１によって生成された画像データを記憶する。
【００３１】
制御部１１５は、携帯装置１１０ａを全体制御する制御部であり、撮影要求処理部１１５ａと、撮影実行処理部１１５ｂとを有する。撮影要求処理部１１５ａは、撮影手段検出部１１５ｃと、撮影要求送信部１１５ｄとを有し、所定の範囲１ａ内に存在する他の携帯装置１１０またはこれと同等の機能を有する装置を検出するとともに、検出した装置に撮影の実行と画像データの送信を要求する。撮影実行処理部１１５ｂは、撮影要求受信部１１５ｅと、要求元検出部１１５ｆと、撮影実行部１１５ｇと、画像送信部１１５ｈとを有し、予め設定されているタイミングと他の装置から要求されて要求元が撮影範囲内に存在することを確認したタイミングで撮影部１１１に撮影を実行させ、生成された画像データを自装置に対応する画像管理装置１２０へ送信する。
【００３２】
撮影手段検出部１１５ｃは、所定の範囲１ａ内に存在する他の携帯装置１１０またはこれと同等の機能を有する装置を検出する。具体的には、撮影手段検出部１１５ｃは、通信部１１２から所定の範囲１ａ内に届く程度の強度で所定の検出用の信号を送信させ、いずれかの装置からの応答が受信された場合に他の携帯装置１１０等が所定の範囲１ａ内に存在すると判定する。また、撮影手段検出部１１５ｃは、所定の検出用の信号が通信部１１２で受信された場合に、通信部１１２から応答を送信させる。
【００３３】
撮影要求送信部１１５ｄは、撮影手段検出部１１５ｃによって他の携帯装置１１０等が検出された場合に、通信部１１２から撮影要求を送信させる。撮影要求送信部１１５ｄは、自装置を所有する利用者のＩＤ等を記憶部１１４から取得して認証情報として撮影要求に含めるとともに、自装置を所有する利用者に対応する画像管理装置１２０のネットワークアドレスを記憶部１１４から取得して画像データの転送先を示す情報として撮影要求に含める。
【００３４】
撮影要求受信部１１５ｅは、撮影要求が通信部１１２で受信された場合に、撮影要求の要求元が撮影部１１１の撮影範囲内に存在するかを要求元検出部１１５ｆに確認させる。要求元検出部１１５ｆは、撮影部１１１に撮影を実行させ、生成された画像データ内に撮影要求の要求元が存在するか否かを判定する。具体的には、要求元検出部１１５ｆは、撮影要求の要求元がもっているはずの形状や色彩等の外観上の特徴が画像データに含まれているか否かを解析することによって、画像データ内に撮影要求の要求元が存在するか否かを判定する。
【００３５】
なお、携帯装置１１０の形状や色彩等の外観上の特徴が機種毎に異なる場合にも対応できるように、撮影要求送信部１１５ｄが自装置の外観上の特徴に関する情報を撮影要求に含めて送信し、要求元検出部１１５ｆが撮影要求に含まれる情報が示す外観上の特徴が画像データに含まれているか否かを解析することとしてもよい。
【００３６】
撮影実行部１１５ｇは、予め設定されているタイミングまたは要求元検出部１１５ｆが撮影要求の要求元を検出したタイミングで撮影部１１１に画像データを生成させ、画像送信部１１５ｈに画像データの送信を要求する。
【００３７】
画像送信部１１５ｈは、自装置を所有する利用者に対応する画像管理装置１２０のネットワークアドレスと自装置を所有する利用者のＩＤ等の認証情報を記憶部１１４から取得し、取得したネットワークアドレスを送信先として設定し、取得した認証情報を送信元の認証情報として設定した画像データ保存要求を通信部１１３から送信させる。画像データ保存要求には、生成された画像データが含められる。
【００３８】
要求元検出部１１５ｆが撮影要求の要求元を検出したタイミングで画像データが生成された場合、画像送信部１１５ｈは、受信された撮影要求に含まれていた認証情報と転送先を示す情報を対応付けて、送信される画像データ保存要求に含める。
【００３９】
図３は、画像管理装置１２０ａの構成を示すブロック図である。図３に示すように、画像管理装置１２０ａは、通信部１２１と、画像記憶部１２２と、利用者情報記憶部１２３と、制御部１２４とを有する。なお、図３では、本実施例に係る画像収集方法に関連する構成のみを図示しており、画像データを公開するための構成等については図示を省略している。
【００４０】
通信部１２１は、ネットワーク１０に接続された他の装置との間で要求や応答をやりとりするとともに、無線基地局２０を介して携帯装置１１０との間で要求や応答をやりとりしたりするために使用される。
【００４１】
画像記憶部１２２と利用者情報記憶部１２３は、例えば、ハードディスク装置や半導体記憶装置である。画像記憶部１２２は、利用者情報記憶部１２３に登録されている各利用者の画像データを、利用者毎に設けられた領域に記憶する。利用者情報記憶部１２３は、利用者のＩＤや暗証番号等の認証番号や、利用者が利用しているサービスの各種設定情報等を記憶する。
【００４２】
制御部１２４は、画像管理装置１２０ａを全体制御する制御部であり、画像受信部１２４ａと、保存場所判定部１２４ｂと、画像保存部１２４ｃと、画像転送部１２４ｄとを有する。
【００４３】
画像受信部１２４ａは、画像データ保存要求が通信部１２１で受信された場合に、画像データ保存要求に含まれる画像データの保存場所を保存場所判定部１２４ｂに判定させる。保存場所判定部１２４ｂは、画像データ保存要求に転送先を示す情報が含まれていなければ、画像データの保存場所を自装置と判定し、さもなければオリジナルの画像データの保存場所を自装置と判定し、画像データのコピーの保存場所を画像データ保存要求に含まれる転送先を示す情報が示す他の装置と判定する。
【００４４】
画像保存部１２４ｃは、画像データ保存要求に送信元の認証情報として含まれるＩＤ等と利用者情報記憶部１２３に記憶されている利用者のＩＤ等を照合して認証を行う。そして、認証が成功した場合、画像保存部１２４ｃは、認証が成功した利用者に対応する画像記憶部１２２の領域に画像データを保存する。一方、認証が成功しなかった場合、画像保存部１２４ｃは、画像データを破棄する。
【００４５】
画像転送部１２４ｄは、保存場所判定部１２４ｂによって画像データのコピーの保存場所が他の装置と判定された場合に、転送先を示す情報として設定されているネットワークアドレスを送信先として設定した画像データ保存要求を通信部１２１から送信させる。画像転送部１２４ｄが送信させる画像データ保存要求には、転送先を示す情報と対応付けて格納されていた認証情報が送信元の認証情報として含まれるとともに、画像データのコピーが含まれる。
【００４６】
次に、図２に示した携帯装置１１０ａと図３に示した画像管理装置１２０ａの動作についてフローチャートを参照しながら説明する。
【００４７】
図４は、携帯装置１１０ａの動作を示すフローチャートである。図４に示すように、携帯装置１１０ａにおいては、通信部１１２で撮影要求が受信されると（ステップＳ１０１肯定）、要求元検出部１１５ｆが、撮影部１１１に撮影を実行させ、生成された画像データ内に撮影要求の要求元が存在するか否かを判定する（ステップＳ１０２）。
【００４８】
ここで、画像データ内に撮影要求の要求元が存在すれば（ステップＳ１０３肯定）、撮影実行部１１５ｇが、撮影部１１１に撮影を実行させる（ステップＳ１０４）。そして、画像送信部１１５ｈが、撮影部１１１によって生成された画像データを含む画像データ保存要求を画像管理装置１２０ａへ送信する（ステップＳ１０５）。
【００４９】
一方、通信部１１２で撮影要求が受信されていない場合（ステップＳ１０１否定）、撮影手段検出部１１５ｃが、所定の範囲１ａ内に携帯装置１１０ｂ等が存在することを検出していれば（ステップＳ１０６肯定）、撮影要求送信部１１５ｄが、撮影要求を送信する（ステップＳ１０７）。
【００５０】
以上の処理手順を携帯装置１１０ａは、繰り返し実行する。また、携帯装置１１０ａは、図４に示した動作以外にも、予め設定されているタイミングで撮影部１１１に撮影を実行させ、生成された画像データを画像管理装置１２０ａへ送信する動作を実行する。
【００５１】
図５は、画像管理装置１２０ａの動作を示すフローチャートである。図５に示すように、画像管理装置１２０ａにおいては、通信部１２１で画像データ保存要求が受信されると（ステップＳ２０１肯定）、保存場所判定部１２４ｂが、画像データの転送が必要であるかを判定する。
【００５２】
そして、画像データの転送が必要でないと判定された場合は（ステップＳ２０２否定）、画像保存部１２４ｃが、画像データを画像記憶部１２２に保存する（ステップＳ２０３）。一方、画像データの転送が必要であると判定された場合は（ステップＳ２０２肯定）、画像保存部１２４ｃが、画像データを画像記憶部１２２に保存し（ステップＳ２０４）、画像転送部１２４ｄが、画像データのコピーを含む画像データ保存要求を、転送先を示す情報に対応する装置へ転送する（ステップＳ２０５）。
【００５３】
以上の処理手順を画像管理装置１２０ａは、繰り返し実行する。また、画像管理装置１２０ａは、図５に示した動作以外にも、画像記憶部１２２に記憶されている画像データを、ネットワーク１０を介して公開する等の動作を行う。
【００５４】
なお、本実施例では、撮影を他の装置に要求する機能と、他の装置からの要求に従って撮影を実行する機能とを併せもった携帯装置１１０ａおよび１１０ｂの例を示したが、これらの機能の一方のみをもつように装置を構成してもよい。
【００５５】
例えば、撮影を他の装置に要求する機能はもつが、他の装置からの要求に従って撮影を実行する機能はもたない装置は、図６に示す撮影要求装置１３０のように、通信部１１２と、記憶部１１４と、撮影要求処理部１１５ａを含む制御部１３５とを有する装置として構成することができる。
【００５６】
一方、撮影を他の装置に要求する機能はもたないが、他の装置からの要求に従って撮影を実行する機能はもつ装置は、図７に示す撮影装置１４０のように、撮影部１１１と、通信部１１２と、通信部１１３と、記憶部１１４と、撮影実行処理部１１５ｂを含む制御部１４５とを有する装置として構成することができる。
【００５７】
このように携帯装置１１０ａの機能を撮影要求装置１３０と撮影装置１４０という２台の装置に分離する場合、利用者は、目的や都合に応じて、撮影要求装置１３０と撮影装置１４０を両方とも携帯してもよいし、一方のみを携帯してもよい。また、この場合、撮影装置１４０を街頭や店頭などに固定的に設置することとしてもよい。
【００５８】
また、本実施例では、携帯装置１１０が、他の装置から撮影要求を受信した場合に、自装置に対応する画像管理装置を経由して撮影要求で指定された画像管理装置へ画像データを送信することとしたが、異なる経路で画像データを送信することとしてもよい。例えば、他の装置から撮影要求を受信した場合に、携帯装置１１０が、自装置に対応する画像管理装置を経由させることなく、撮影要求で指定された画像管理装置へ画像データを直接に送信することとしてもよい。また、他の装置から撮影要求を受信した場合に、携帯装置１１０が、画像データを撮影要求の送信元の装置へ送信することとしてもよい。
【実施例２】
【００５９】
本実施例では、利用者が、ほぼ正面から見た自分の姿が写っている画像を自分の希望するタイミングで取得することを可能にする例について説明する。
【００６０】
まず、本実施例に係る画像収集システムおよび画像収集方法について図８を参照しながら説明する。図８に示すように、本実施例に係る画像収集システムは、携帯装置２１０ａおよび２１０ｂと、画像管理装置２２０ａおよび２２０ｂと、サービス提供装置２５０とを含む。なお、図８では、無線基地局２０の図示を説明の便宜上省略している。
【００６１】
携帯装置２１０ａは、利用者２ａの頭部や肩等に装着されるウェアブルなデバイスであり、利用者２ａの視点で撮影を実行して画像データを生成し、生成した画像データを画像管理装置２２０ａに保存させる機能を有する。携帯装置２１０ｂは、利用者２ｂの頭部や肩等に装着されるウェアブルなデバイスであり、利用者２ｂの視点で撮影を実行して画像データを生成し、生成した画像データを画像管理装置２２０ｂに保存させる機能を有する。
【００６２】
携帯装置２１０ａおよび２１０ｂは、それぞれ、画像データを画像管理装置２２０ａおよび２２０ｂに保存させるために、画像データを含む画像データ保存要求をサービス提供装置２５０へ送信する。サービス提供装置２５０は、受信した画像データ保存要求を、画像データの送信先を示す情報として設定されているネットワークアドレスや、画像データの転送先を示す情報として設定されているネットワークアドレス等に基づいて画像管理装置２２０ａや画像管理装置２２０ｂへ転送する。
【００６３】
画像管理装置２２０ａは、利用者２ａの画像データの保管や公開を行うサーバ装置であり、画像管理装置２２０ｂは、利用者２ｂの画像データの保管や公開を行うサーバ装置である。画像管理装置２２０ａおよび２２０ｂは、例えば、ライフログサービスを提供する装置に相当する。
【００６４】
サービス提供装置２５０は、携帯装置２１０ａおよび２１０ｂに対して、対向の携帯装置２１０についての認証や、画像データ保存要求の転送といったサービスを提供する。
【００６５】
このような構成の画像収集システムにおいて、本実施例に係る画像収集方法は以下のように実行される。携帯装置２１０ａは、所定の範囲１ｂ内に他の携帯装置２１０が存在するか否かを定期的に確認する。
【００６６】
そして、携帯装置２１０ａは、前方の所定の範囲１ｂ内に携帯装置２１０ｂが存在することを検出すると、携帯装置２１０ｂに対して認証要求を送信する（ステップＳ２１）。携帯装置２１０ａが送信する認証要求には、自装置の利用者を識別するためのＩＤ等の認証情報（この場面では、利用者２ａの認証情報）が含まれる。
【００６７】
携帯装置２１０ｂは、認証要求を受信すると、認証要求に含まれる認証情報をサービス提供装置２５０へ送信して認証処理を実行させるとともに、認証要求の要求元が自装置の撮影範囲内に存在するか否かを判定する（ステップＳ２２）。
【００６８】
そして、サービス提供装置２５０から認証成功の応答があり、かつ、認証要求の要求元が自装置の撮影範囲内に存在する場合、携帯装置２１０ｂは、自装置の利用者を識別するためのＩＤ等の認証情報（この場面では、利用者２ｂの認証情報）を含めて撮影許可の応答をする。一方、サービス提供装置２５０から認証失敗の応答があった場合、または、認証要求の要求元が自装置の撮影範囲内に存在しない場合、携帯装置２１０ｂは、撮影不可の応答をする（ステップＳ２３）。
【００６９】
携帯装置２１０ｂから撮影許可が応答された場合、携帯装置２１０ａは、応答に含まれる認証情報をサービス提供装置２５０へ送信して認証処理を実行させる。そして、認証結果が認証成功だった場合、携帯装置２１０ａは、所定の範囲１ｂ内に撮影手段が存在する旨を光や音を用いて利用者２ａに報知する（ステップＳ２４）。
【００７０】
報知を受けた利用者２ａは、自分の希望するタイミングで携帯装置２１０ａに対して所定の操作を行って撮影要求を送信させる（ステップＳ２５）。携帯装置２１０ａが送信する撮影要求には、自装置の利用者を識別するためのＩＤ等の認証情報（この場面では、利用者２ａの認証情報）や画像データの転送先を示す情報（この場面では、画像管理装置２２０ａのネットワークアドレス等）が含まれる。
【００７１】
携帯装置２１０ｂは、撮影要求を受信すると、撮影を実行して画像データを生成し、生成した画像データを含む画像データ保存要求をサービス提供装置２５０へ向けて送信する（ステップＳ２６）。この場面で携帯装置２１０ｂが送信する画像データ保存要求には、携帯装置１１０ｂに対応する画像管理装置２２０ｂのネットワークアドレス等が送信先を示す情報として設定され、携帯装置１１０ｂの利用者を識別するためのＩＤ等の認証情報が送信先を示す情報と対応付けて設定される。また、撮影要求に含まれていた認証情報と転送先を示す情報が、対応付けられて、画像データ保存要求に含められる。
【００７２】
サービス提供装置２５０は、画像データ保存要求を受信すると、画像データ保存要求に含まれる画像データの送信先を示す情報に対応する装置へ画像データ保存要求を転送する。この場面では、画像データの送信先を示す情報として画像管理装置２２０ｂのネットワークアドレス等が設定されているので、サービス提供装置２５０は、画像データ保存要求を画像管理装置２２０ｂへ転送する。画像管理装置２２０ｂは、画像データ保存要求を受信すると、画像データの送信先を示す情報と対応付けてられている認証情報が正しいことを確認した後、その認証情報に含まれるＩＤに対応する領域に画像データを保存する（ステップＳ２７）。
【００７３】
さらに、サービス提供装置２５０は、画像データ保存要求に画像データの転送先を示す情報が含まれていれば、その情報に対応する装置へ画像データ保存要求を転送する。この場面では、画像データの転送先を示す情報として画像管理装置２２０ａのネットワークアドレス等が設定されているので、サービス提供装置２５０は、画像データのコピーを含む画像データ保存要求を画像管理装置２２０ａへ送信する。画像管理装置２２０ａへ送信される画像データ保存要求には、受信された画像データ保存要求で画像データの転送先を示す情報として設定されていた情報が、画像データの送信先を示す情報として設定される。また、受信された画像データ保存要求で画像データの転送先を示す情報と対応付けられていた認証情報が、画像データの送信先を示す情報と対応付けて設定される。画像管理装置２２０ａは、画像データ保存要求を受信すると、画像データの送信先を示す情報と対応付けてられている認証情報が正しいことを確認した後、その認証情報に含まれるＩＤに対応する領域に画像データを保存する（ステップＳ２８）。
【００７４】
このように、本実施例に係る画像収集方法では、携帯装置２１０ａが所定の範囲１ｂ内に携帯装置２１０ｂが存在することを検出し、携帯装置２１０ｂに撮影を依頼することが可能となった場合にその旨を利用者２ａに報知することとしたので、利用者２ａは、自身の姿をほぼ正面から見た画像データを取得可能な状態か否かを把握した上で、自分の希望するタイミングで携帯装置２１０ｂが撮影した画像データを取得することができる。
【００７５】
また、本実施例に係る画像収集方法では、撮影を依頼する装置と撮影を実行する装置が対向の装置について認証を行うこととしたので、不正な目的をもつ者のために撮影を行ったり、撮影された画像データが悪用されたりといったリスクを低減することができる。
【００７６】
なお、上記の説明では、携帯装置２１０ｂが撮影した画像データを利用者２ａが取得する場合について説明したが、同様の手順により、携帯装置２１０ａが撮影した画像データを利用者２ｂが取得することができる。また、図８に示した携帯装置２１０と画像管理装置２２０の台数は一例であり、これらの装置の台数は任意である。
【００７７】
次に、図８に示した携帯装置２１０ａおよび２１０ｂとサービス提供装置２５０のより詳細な構成について説明する。なお、携帯装置２１０ａおよび２１０ｂの構成は同様であるので、携帯装置２１０ａを例にして構成を説明する。
【００７８】
図９は、携帯装置２１０ａの構成を示すブロック図である。図９に示すように、携帯装置２１０ａは、撮影部１１１と、通信部１１２と、通信部１１３と、記憶部２１４と、制御部２１５と、操作部２１６と、報知部２１７とを有する。
【００７９】
記憶部２１４は、例えば、半導体記憶装置であり、自装置を所有する利用者のＩＤや自装置を所有する利用者に対応する画像管理装置２２０のネットワークアドレスのように制御部２１５の動作に必要な各種設定情報や、撮影部１１１によって生成された画像データを記憶する。また、記憶部２１４は、図１０に示すように、携帯装置２１０ａがサービス提供装置２５０に要求した認証処理の結果を、認証対象の利用者のＩＤと対応付けて記憶する。
【００８０】
操作部２１６は、他の装置への撮影要求の送信指示等のための操作を利用者から受け付ける。報知部２１７は、他の装置に撮影を依頼することが可能となった場合に、その旨を利用者に報知する。報知部２１７による報知は、例えば、光、音、振動等によって実現される。
【００８１】
制御部２１５は、携帯装置２１０ａを全体制御する制御部であり、撮影要求処理部２１５ａと、撮影実行処理部２１５ｂと、認証部２１５ｈと、要求元検出部２１５ｉとを有する。撮影要求処理部２１５ａは、撮影手段検出部２１５ｃと、撮影要求送信部２１５ｄとを有し、所定の範囲１ｂ内に存在する他の携帯装置２１０またはこれと同等の機能を有する装置を検出するとともに、検出した装置に撮影の実行と画像データの送信を要求する。撮影実行処理部２１５ｂは、撮影要求受信部２１５ｅと、撮影実行部２１５ｆと、画像送信部２１５ｇとを有し、予め設定されているタイミングと他の装置から要求されたタイミングで撮影部１１１に撮影を実行させ、生成された画像データを自装置に対応する画像管理装置２２０へ送信する。
【００８２】
認証部２１５ｈは、対向装置の認証に関する処理を実行する。具体的には、所定の範囲１ｂ内に存在する他の携帯装置２１０またはこれと同等の機能を有する装置が撮影手段検出部２１５ｃによって検出された場合に、自装置を所有する利用者のＩＤ等を記憶部２１４から取得し、これらを認証情報として設定した認証要求を送信して、自装置についての認証を求める。認証要求に対して撮影許可の応答があった場合、認証部２１５ｈは、応答に含まれる認証情報をサービス提供装置２５０に送信して応答元の装置についての認証処理の実行を要求する。そして、サービス提供装置２５０から認証成功の応答があった場合、他の装置に撮影を依頼することが可能となった旨の報知を報知部２１７に行わせる。
【００８３】
また、認証部２１５ｈは、他の装置から認証要求を受信した場合、認証要求に含まれる認証情報をサービス提供装置２５０に送信して要求元の装置についての認証処理の実行を要求する。サービス提供装置２５０から認証成功の応答があった場合、認証部２１５ｈは、認証要求の要求元が撮影部１１１の撮影範囲に存在するか否かを要求元検出部２１５ｉに判定させる。
【００８４】
そして、認証要求の要求元が撮影部１１１の撮影範囲に存在すると要求元検出部２１５ｉが判定した場合、認証部２１５ｈは、認証要求の要求元へ撮影許可を応答する。撮影許可を応答する場合、認証部２１５ｈは、自装置を所有する利用者のＩＤ等を記憶部２１４から取得し、これらを認証情報として応答に含める。
【００８５】
なお、認証部２１５ｈは、サービス提供装置２５０に要求した認証処理の結果を図１０に示したように記憶部２１４に記憶させる。そして、サービス提供装置２５０に認証処理を要求すべき認証情報に対応する認証結果が記憶部２１４に記憶されている場合は、サービス提供装置２５０に要求を行わずに、記憶部２１４に記憶されている認証結果をサービス提供装置２５０からの応答として利用する。
【００８６】
要求元検出部２１５ｉは、撮影部１１１に撮影を実行させ、生成された画像データ内に認証要求の要求元が存在するか否かを判定する。具体的には、要求元検出部２１５ｉは、認証要求の要求元がもっているはずの形状や色彩等の外観上の特徴が画像データに含まれているか否かを解析することによって、画像データ内に認証要求の要求元が存在するか否かを判定する。
【００８７】
なお、携帯装置２１０の形状や色彩等の外観上の特徴が機種毎に異なる場合にも対応できるように、認証部２１５ｈが自装置の外観上の特徴に関する情報を認証要求に含めて送信し、要求元検出部２１５ｉが認証要求に含まれる情報が示す外観上の特徴が画像データに含まれているか否かを解析することとしてもよい。
【００８８】
撮影手段検出部２１５ｃは、所定の範囲１ｂ内に存在する他の携帯装置２１０またはこれと同等の機能を有する装置を検出する。具体的には、撮影手段検出部２１５ｃは、通信部１１２から所定の範囲１ｂ内に届く程度の強度と指向性で所定の検出用の信号を送信させ、いずれかの装置からの応答が受信された場合に他の携帯装置２１０等が所定の範囲１ｂ内に存在すると判定する。また、撮影手段検出部２１５ｃは、所定の検出用の信号が通信部１１２で受信された場合に、通信部１１２から応答を送信させる。
【００８９】
撮影要求送信部２１５ｄは、撮影要求の送信指示を示す操作が操作部２１６に対して行われた場合に、通信部１１２から撮影要求を送信させる。撮影要求送信部２１５ｄは、自装置を所有する利用者のＩＤ等を記憶部２１４から取得して認証情報として撮影要求に含めるとともに、自装置を所有する利用者に対応する画像管理装置２２０のネットワークアドレスを記憶部２１４から取得して画像データの転送先を示す情報として撮影要求に含める。
【００９０】
撮影要求受信部２１５ｅは、撮影要求が通信部１１２で受信された場合に、撮影要求に含まれる認証情報に対応する認証結果を記憶部２１４から取得する。そして、認証情報に対応する認証結果が記憶部２１４に存在し、かつ、認証結果が認証成功の場合、撮影要求受信部２１５ｅは、撮影実行部２１５ｆに撮影の実行を要求する。
【００９１】
撮影実行部２１５ｆは、予め設定されているタイミングまたは撮影要求受信部２１５ｅから要求されたタイミングで撮影部１１１に画像データを生成させ、画像送信部２１５ｇに画像データの送信を要求する。
【００９２】
画像送信部２１５ｇは、サービス提供装置２５０のネットワークアドレスと自装置を所有する利用者のＩＤ等の認証情報を記憶部２１４から取得し、取得したネットワークアドレスを画像データの送信先を示す情報として設定し、取得した認証情報を画像データの送信先を示す情報と対応付けて設定した画像データ保存要求を通信部１１３から送信させる。画像データ保存要求には、生成された画像データが含められる。
【００９３】
撮影要求受信部２１５ｅから要求されたタイミングで画像データが生成された場合、画像送信部２１５ｇは、受信された撮影要求に含まれていた認証情報と転送先を示す情報を対応付けて、送信される画像データ保存要求に含める。
【００９４】
図１１は、サービス提供装置２５０の構成を示すブロック図である。図１１に示すように、サービス提供装置２５０は、通信部２５１と、利用者情報記憶部２５２と、制御部２５３とを有する。
【００９５】
通信部２５１は、ネットワーク１０に接続された他の装置との間で要求や応答をやりとりするとともに、無線基地局（図示略）を介して携帯装置２１０との間で要求や応答をやりとりしたりするために使用される。
【００９６】
利用者情報記憶部２５２は、例えば、ハードディスク装置や半導体記憶装置であり、利用者のＩＤや暗証番号等の認証番号や、利用者が利用しているサービスの各種設定情報等を記憶する。
【００９７】
制御部２５３は、サービス提供装置２５０を全体制御する制御部であり、認証部２５３ａと、画像受信部２５３ｂと、転送先判定部２５３ｃと、画像転送部２５３ｄとを有する。
【００９８】
認証部２５３ａは、通信部２５１で受信された認証情報と利用者情報記憶部２５２に記憶されている認証情報とを照合して認証処理を行い、認証結果を通信部２５１から認証処理の要求元へ送信させる。
【００９９】
画像受信部２５３ｂは、画像データ保存要求が通信部２５１で受信された場合に、転送先判定部２５３ｃに画像データ保存要求の転送先を判定させる。転送先判定部２５３ｃは、画像データ保存要求に含まれる送信先を示す情報が示す装置をオリジナルの画像データの転送先と判定する。また、転送先判定部２５３ｃは、画像データ保存要求に転送先を示す情報が含まれている場合は、転送先を示す情報が示す装置を画像データのコピーの転送先と判定する。
【０１００】
画像転送部２５３ｄは、転送先判定部２５３ｃによってオリジナルの画像データの転送先と判定された装置のネットワークアドレスを送信先として設定し直して、画像データ保存要求を通信部２５１から送信させる。また、画像転送部２５３ｄは、転送先判定部２５３ｃによって画像データのコピーの転送先と判定された装置があれば、その装置のネットワークアドレスを送信先として設定し、画像データのコピーを含めた画像データ保存要求を通信部２５１から送信させる。コピーの転送先と判定された装置へ送信される画像データ保存要求には、受信された画像データ保存要求で画像データの転送先を示す情報として設定されていた情報が、画像データの送信先を示す情報として設定される。また、受信された画像データ保存要求で画像データの転送先を示す情報と対応付けられていた認証情報が、画像データの送信先を示す情報と対応付けて設定される。
【０１０１】
次に、図９に示した携帯装置２１０ａと図１１に示したサービス提供装置２５０の動作についてフローチャートを参照しながら説明する。
【０１０２】
図１２は、携帯装置２１０ａの動作を示すフローチャートである。図１２に示すように、携帯装置２１０ａにおいては、通信部１１２で撮影要求が受信されると（ステップＳ３０１肯定）、撮影実行処理部２１５ｂが、後述する撮影処理を実行する（ステップＳ３０２）。また、通信部１１２で認証要求が受信されると（ステップＳ３０１否定、ステップＳ３０３肯定）、認証部２１５ｈが、後述する要求元認証処理を実行する（ステップＳ３０４）。
【０１０３】
また、撮影要求の送信指示を示す操作が操作部２１６に対して行われると（ステップＳ３０１否定、ステップＳ３０３否定、ステップＳ３０５肯定）、撮影要求処理部２１５ａが後述する撮影要求送信処理を実行する（ステップＳ３０６）。また、所定の範囲１ｂ内に存在する他の携帯装置２１０等が撮影手段検出部２１５ｃによって検出されると（ステップＳ３０１否定、ステップＳ３０３否定、ステップＳ３０５否定、ステップＳ３０７肯定）、認証部２１５ｈが、後述する認証要求処理を実行する（ステップＳ３０８）。
【０１０４】
以上の処理手順を携帯装置２１０ａは、繰り返し実行する。また、携帯装置２１０ａは、図１２に示した動作以外にも、予め設定されているタイミングで撮影部１１１に撮影を実行させ、生成された画像データをサービス提供装置２５０へ送信する動作を実行する。
【０１０５】
図１３は、認証要求処理の処理手順を示すフローチャートである。図１３に示すように、認証部２１５ｈは、検出された他の装置へ認証要求を送信し（ステップＳ４０１）、要求結果を受信する（ステップＳ４０２）。ここで、要求結果が撮影許可でなければ（ステップＳ４０３否定）、認証部２１５ｈは、認証要求処理を終了させる。
【０１０６】
一方、要求結果が撮影許可であれば（ステップＳ４０３肯定）、認証部２１５ｈは、応答に認証情報として含まれるＩＤに対応する認証結果を記憶部２１４から取得する（ステップＳ４０４）。ここで、認証結果がなかった場合は（ステップＳ４０５否定）、認証部２１５ｈは、応答に含まれる認証情報をサービス提供装置２５０へ送信して認証処理の実行を要求し（ステップＳ４０６）、サービス提供装置２５０から応答された認証結果を認証情報に含まれるＩＤと対応付けて記憶部２１４に記録する（ステップＳ４０７）。
【０１０７】
そして、ステップＳ４０４で取得した認証結果が認証成功だった場合、または、サービス提供装置２５０から応答された認証結果が認証成功だった場合（ステップＳ４０８肯定）、認証部２１５ｈは、他の装置に撮影を依頼することが可能となった旨の報知を報知部２１７に行わせ、認証要求処理を終了させる（ステップＳ４０９）。一方、ステップＳ４０４で取得した認証結果が認証失敗だった場合、または、サービス提供装置２５０から応答された認証結果が認証失敗だった場合（ステップＳ４０８否定）、認証部２１５ｈは、他の装置に撮影を依頼することが可能となった旨の報知を報知部２１７に行わせることなく、認証要求処理を終了させる。
【０１０８】
図１４は、要求元認証処理の処理手順を示すフローチャートである。図１４に示すように、認証部２１５ｈは、認証要求に認証情報として含まれるＩＤに対応する認証結果を記憶部２１４から取得する（ステップＳ５０１）。ここで、認証結果がなかった場合は（ステップＳ５０２否定）、認証部２１５ｈは、認証要求に含まれる認証情報をサービス提供装置２５０へ送信して認証処理の実行を要求し（ステップＳ５０３）、サービス提供装置２５０から応答された認証結果を認証情報に含まれるＩＤと対応付けて記憶部２１４に記録する（ステップＳ５０４）。
【０１０９】
ステップＳ５０１で取得した認証結果が認証成功だった場合、または、サービス提供装置２５０から応答された認証結果が認証成功だった場合（ステップＳ５０５肯定）、要求元検出部２１５ｉは、撮影部１１１に要求元検出用の画像を撮影させる（ステップＳ５０６）。そして、要求元検出部２１５ｉは、画像データの解析を行い、要求元が検出された場合は（ステップＳ５０７肯定）、認証部２１５ｈは、自装置を所有する利用者のＩＤ等を記憶部２１４から取得し、これらを認証情報として含めた撮影許可の応答をする（ステップＳ５０８）。
【０１１０】
一方、ステップＳ５０１で取得した認証結果が認証成功でなかった場合、または、サービス提供装置２５０から応答された認証結果が認証成功でなかった場合（ステップＳ５０５否定）、認証部２１５ｈは、撮影不可の応答をする（ステップＳ５０９）。また、要求元検出用の画像データから要求元が検出されなかった場合も（ステップＳ５０７否定）、認証部２１５ｈは、撮影不可の応答をする（ステップＳ５０９）。
【０１１１】
図１５は、撮影要求送信処理の処理手順を示すフローチャートである。図１５に示すように、撮影要求処理部２１５ａの撮影要求送信部２１５ｄは、認証情報と転送先を示す情報とを含む撮影要求を送信する（ステップＳ６０１）。その処理結果が受信されると（ステップＳ６０２）、撮影要求送信部２１５ｄは、報知部２１７等を通じて処理結果を利用者に通知する（ステップＳ６０３）。
【０１１２】
図１６は、撮影処理の処理手順を示すフローチャートである。図１６に示すように、撮影実行処理部２１５ｂの撮影要求受信部２１５ｅは、撮影要求に認証情報として含まれるＩＤに対応する認証結果を記憶部２１４から取得する（ステップＳ７０１）。ここで、ＩＤに対応する認証結果が記憶部２１４に存在し、かつ、認証結果が認証成功の場合（ステップＳ７０２肯定）、撮影実行部２１５ｆは撮影を実行し（ステップＳ７０３）、画像送信部２１５ｇは生成された画像データをサービス提供装置２５０へ送信する（ステップＳ７０４）。そして、撮影実行処理部２１５ｂは、撮影要求の送信元に処理結果を応答する（ステップＳ７０５）。
【０１１３】
一方、ＩＤに対応する認証結果が記憶部２１４に存在しない場合、または、存在した認証結果が認証成功でない場合（ステップＳ７０２否定）、撮影を実行することなく、撮影実行処理部２１５ｂは、撮影要求の送信元に処理結果を応答する（ステップＳ７０５）。
【０１１４】
図１７は、サービス提供装置２５０の動作を示すフローチャートである。図１７に示すように、サービス提供装置２５０においては、通信部２５１で認証要求が受信されると（ステップＳ８０１肯定）、認証部２５３ａが、通信部２５１で受信された認証情報と利用者情報記憶部２５２に記憶されている認証情報とを照合して認証処理を行い（ステップＳ８０２）、認証結果を通信部２５１から認証処理の要求元へ送信させる（ステップＳ８０３）。
【０１１５】
また、画像データ保存要求が通信部２５１で受信されると（ステップＳ８０１否定、
ステップＳ８０４肯定）、画像転送部２５３ｄが、画像データ保存要求を転送する（ステップＳ８０５）。以上の処理手順をサービス提供装置２５０は、繰り返し実行する。
【符号の説明】
【０１１６】
２ａ、２ｂ  利用者
１０    ネットワーク
２０    無線基地局
１１０    携帯装置
１１０ａ、１１０ｂ、２１０ａ、２１０ｂ  携帯装置
１１１    撮影部
１１２    通信部
１１３    通信部
１１４、２１４  記憶部
１１５、２１５  制御部
１１５ａ、２１５ａ  撮影要求処理部
１１５ｂ、２１５ｂ  撮影実行処理部
１１５ｃ、２１５ｃ  撮影手段検出部
１１５ｄ、２１５ｄ  撮影要求送信部
１１５ｅ、２１５ｅ  撮影要求受信部
１１５ｆ、２１５ｉ  要求元検出部
１１５ｇ、２１５ｆ  撮影実行部
１１５ｈ、２１５ｇ  画像送信部
２１５ｈ  認証部
２１６    操作部
２１７    報知部
１２０ａ、１２０ｂ、２２０ａ、２２０ｂ  画像管理装置
１２１    通信部
１２２    画像記憶部
１２３    利用者情報記憶部
１２４    制御部
１２４ａ  画像受信部
１２４ｂ  保存場所判定部
１２４ｃ  画像保存部
１２４ｄ  画像転送部
１３０    撮影要求装置
１３５    制御部
１４０    撮影装置
１４５    制御部
２５０    サービス提供装置 
２５１    通信部
２５２    利用者情報記憶部
２５３    制御部
２５３ａ  認証部
２５３ｂ  画像受信部
２５３ｃ  転送先判定部
２５３ｄ  画像転送部
【図１−１】
2011114579.tif 000003
【図１−２】
2011114579.tif 000004
【図２】
2011114579.tif 000005
【図３】
2011114579.tif 000006
【図４】
2011114579.tif 000007
【図５】
2011114579.tif 000008
【図６】
2011114579.tif 000009
【図７】
2011114579.tif 000010
【図８】
2011114579.tif 000011
【図９】
2011114579.tif 000012
【図１０】
2011114579.tif 000013
【図１１】
2011114579.tif 000014
【図１２】
2011114579.tif 000015
【図１３】
2011114579.tif 000016
【図１４】
2011114579.tif 000017
【図１５】
2011114579.tif 000018
【図１６】
2011114579.tif 000019
【図１７】
2011114579.tif 000020